(57)【要約】  複数のセルにおいてＢＦＲ手順が行われる場合であっても通信を適切に制御するために、本開示の一態様に係るユーザ端末は、無線リンク障害が発生したセルに対するビーム回復要求（ＢＦＲＱ：Beam  Failure  Recovery  reQuest）を上り制御チャネルを利用して送信する送信部と、あらかじめ設定された所定セル又は前記無線リンク障害が発生したセルに関連づけられた上り制御チャネル送信用のセルにおいて前記上り制御チャネルの送信を行う制御部と、を有する。
2020031351.tif 000002
【特許請求の範囲】
【請求項１】
無線リンク障害が発生したセルに対するビーム回復要求（ＢＦＲＱ：Beam  Failure  Recovery  reQuest）を上り制御チャネルを利用して送信する送信部と、
あらかじめ設定された所定セル又は前記無線リンク障害が発生したセルに関連づけられた上り制御チャネル送信用のセルにおいて前記上り制御チャネルの送信を行う制御部と、を有することを特徴とするユーザ端末。
【請求項２】
前記制御部は、前記無線リンク障害が発生したセルで適用されるサブキャリア間隔と、前記所定セルで適用されるサブキャリア間隔に基づいて、前記上り制御チャネルの送信候補領域に設定される上り制御チャネルの時間リソース数を判断することを特徴とする請求項１に記載のユーザ端末。
【請求項３】
前記ビーム回復要求に対するレスポンスを前記所定セル又は前記ビーム回復を報告したセルで受信する受信部と、をさらに有することを特徴とする請求項１又は請求項２に記載のユーザ端末。
【請求項４】
前記制御部は、ビーム回復要求の報告毎に設定されるレスポンスウィンドウに基づいて、各ビーム回復要求に対するレスポンスの受信を行うことを特徴とする請求項３に記載のユーザ端末。
【請求項５】
前記制御部は、異なるビーム回復要求の報告に対応するレスポンスウィンドウの少なくとも一部が重複する場合、少なくとも重複部分についてモニタを行わないことを特徴とする請求項４に記載のユーザ端末。
【請求項６】
無線リンク障害が発生したセルに対するビーム回復要求（ＢＦＲＱ：Beam  Failure  Recovery  reQuest）を上り制御チャネルを利用して送信する工程と、
あらかじめ設定された所定セル又は前記無線リンク障害が発生したセルに関連づけられた上り制御チャネル送信用のセルにおいて前記上り制御チャネルの送信を行う工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０−１４）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（ＬＴＥ  Ｒｅｌ．８−１４）では、無線リンク品質のモニタリング（無線リンクモニタリング（ＲＬＭ：Radio  Link  Monitoring））が行われる。ＲＬＭより無線リンク障害（ＲＬＦ：Radio  Link  Failure）が検出されると、ＲＲＣ（Radio  Resource  Control）コネクションの再確立（re-establishment）がユーザ端末（ＵＥ：User  Equipment）に要求される。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）では、ビーム障害を検出して他のビームに切り替える手順（ビーム障害回復（ＢＦＲ：Beam  Failure  Recovery）手順、ＢＦＲなどと呼ばれてもよい）を実施することが検討されている。また、ＢＦＲ手順において、ＵＥはビーム障害が発生した場合には当該ビーム障害の回復を要求するビーム回復要求（ＢＦＲＱ：Beam  Failure  Recovery  reQuest）を報告する。【０００７】
ところで、既存のＬＴＥシステムでは、複数のセルを利用して通信を行う場合に所定セル（例えば、プライマリセル）に対してのみＢＦＲを行うことが規定されていたが、ＮＲでは複数のセルに対してＢＦＲ手順を適用することが検討されている。【０００８】
しかし、複数のセルに対してＢＦＲ手順を行う場合、ＢＦＲＱの報告又は当該報告に対する基地局からのレスポンス等の動作をどのように制御するかについて十分に検討されていない。【０００９】
そこで、本開示は、複数のセルにおいてＢＦＲ手順が行われる場合であっても通信を適切に制御できるユーザ端末及び無線通信方法を提供することを目的の１つとする。
【課題を解決するための手段】
【００１０】
本開示の一態様に係るユーザ端末は、無線リンク障害が発生したセルに対するビーム回復要求（ＢＦＲＱ：Beam  Failure  Recovery  reQuest）を上り制御チャネルを利用して送信する送信部と、あらかじめ設定された所定セル又は前記無線リンク障害が発生したセルに関連づけられた上り制御チャネル送信用のセルにおいて前記上り制御チャネルの送信を行う制御部と、を有することを特徴とする。
【発明の効果】
【００１１】
本開示の一態様によれば、複数のセルにおいてＢＦＲ手順が行われる場合であっても通信を適切に制御することができる。
【図面の簡単な説明】
【００１２】
【図１】図１は、Ｒｅｌ−１５  ＮＲにおけるビーム回復手順の一例を示す図である。
【図２】図２は、バンド内ＣＡの一例を示す図である。
【図３】図３は、バンド間ＣＡの一例を示す図である。
【図４】図４は、ＢＦＲＱ送信の一例を示す図である。
【図５】図５は、ＢＦＲＱ送信の他の例を示す図である。
【図６】図６は、ビームコレスポンデンスがある場合のＰＲＡＣＨ送信の一例を示す図である。
【図７】図７は、ビームコレスポンデンスがない場合のＰＲＡＣＨ送信の一例を示す図である。
【図８】図８は、ＳＣＳが異なるセル間でＢＦ検出とＢＦＲＱ送信を行なう場合を説明する図である。
【図９】図９は、ＳＣＳが異なるセル間でＢＦ検出とＢＦＲＱ送信を行なう場合の一例を示す図である。
【図１０】図１０は、ＳＣＳが異なるセル間でＢＦ検出とＢＦＲＱ送信を行なう場合の他の例を示す図である。
【図１１】図１１Ａ及び図１１Ｂは、ＢＦＲＱレスポンスの受信の一例を示す図である。
【図１２】図１２Ａ及び図１２Ｂは、ＢＦＲＱレスポンスの受信の他の例を示す図である。
【図１３】図１３は、ＢＦＲＱレスポンスウィンドウの設定の一例を示す図である。
【図１４】図１４は、ＢＦＲＱレスポンスウィンドウが重複する場合の一例を示す図である。
【図１５】図１５は、ＢＦＲＱレスポンスの受信の他の例を示す図である。
【図１６】図１６は、一実施形態に係る無線通信システムの概略構成の一例を示す図である。
【図１７】図１７は、一実施形態に係る基地局の全体構成の一例を示す図である。
【図１８】図１８は、一実施形態に係る基地局の機能構成の一例を示す図である。
【図１９】図１９は、一実施形態に係るユーザ端末の全体構成の一例を示す図である。
【図２０】図２０は、一実施形態に係るユーザ端末の機能構成の一例を示す図である。
【図２１】図２１は、一実施形態に係る基地局及びユーザ端末のハードウェア構成の一例を示す図である。
【発明を実施するための形態】
【００１３】
ＮＲでは、ビームフォーミングを利用して通信を行うことが検討されている。例えば、ＵＥ及び基地局（例えば、ｇＮＢ（gNodeB））は、信号の送信に用いられるビーム（送信ビーム、Ｔｘビームなどともいう）、信号の受信に用いられるビーム（受信ビーム、Ｒｘビームなどともいう）を用いてもよい。
【００１４】
ビームフォーミングを用いる場合、障害物による妨害の影響を受けやすくなるため、無線リンク品質が悪化することが想定される。無線リンク品質の悪化によって、無線リンク障害（ＲＬＦ：Radio  Link  Failure）が頻繁に発生するおそれがある。ＲＬＦが発生するとセルの再接続が必要となるため、頻繁なＲＬＦの発生は、システムスループットの劣化を招く。
【００１５】
ＮＲにおいては、ＲＬＦの発生を抑制するために、特定のビームの品質が悪化する場合、他のビームへの切り替え（ビーム回復（ＢＲ：Beam  Recovery）、ビーム障害回復（ＢＦＲ：Beam  Failure  Recovery）、Ｌ１／Ｌ２（Layer  1/Layer  2）ビームリカバリなどと呼ばれてもよい）手順を実施することが検討されている。なお、ＢＦＲ手順は単にＢＦＲと呼ばれてもよい。
【００１６】
なお、本開示におけるビーム障害（ＢＦ：Beam  Failure）は、リンク障害（link  failure）と呼ばれてもよい。
【００１７】
図１は、Ｒｅｌ−１５  ＮＲにおけるビーム回復手順の一例を示す図である。ビームの数などは一例であって、これに限られない。図１の初期状態（ステップＳ１０１）において、ＵＥは、２つのビームを用いて送信される参照信号（ＲＳ（Reference  Signal））リソースに基づく測定を実施する。
【００１８】
当該ＲＳは、同期信号ブロック（ＳＳＢ：Synchronization  Signal  Block）及びチャネル状態測定用ＲＳ（ＣＳＩ−ＲＳ：Channel  State  Information  RS）の少なくとも１つであってもよい。なお、ＳＳＢは、ＳＳ／ＰＢＣＨ（Physical  Broadcast  Channel）ブロックなどと呼ばれてもよい。
【００１９】
ＲＳは、プライマリ同期信号（ＰＳＳ：Primary  SS）、セカンダリ同期信号（ＳＳＳ：Secondary  SS）、モビリティ参照信号（ＭＲＳ：Mobility  RS）、ＳＳＢに含まれる信号、ＳＳＢ、ＣＳＩ−ＲＳ、復調用参照信号（ＤＭＲＳ：DeModulation  Reference  Signal）、ビーム固有信号などの少なくとも１つ、又はこれらを拡張、変更などして構成される信号であってもよい。ステップＳ１０１において測定されるＲＳは、ビーム障害検出のためのＲＳ（ＢＦＤ−ＲＳ：Beam  Failure  Detection  RS）などと呼ばれてもよい。
【００２０】
ステップＳ１０２において、基地局からの電波が妨害されたことによって、ＵＥはＢＦＤ−ＲＳを検出できない（又はＲＳの受信品質が劣化する）。このような妨害は、例えばＵＥ及び基地局間の障害物、フェージング、干渉などの影響によって発生し得る。
【００２１】
ＵＥは、所定の条件が満たされると、ビーム障害を検出する。ＵＥは、例えば、設定されたＢＦＤ−ＲＳ（ＢＦＤ−ＲＳリソース設定）の全てについて、ＢＬＥＲ（Block  Error  Rate）が閾値未満である場合、ビーム障害の発生を検出してもよい。ビーム障害の発生が検出されると、ＵＥの下位レイヤ（物理（ＰＨＹ）レイヤ）は、上位レイヤ（ＭＡＣレイヤ）に対してビーム障害インスタンスを通知（指示）してもよい。
【００２２】
なお、判断の基準（クライテリア）は、ＢＬＥＲに限られず、物理レイヤにおける参照信号受信電力（Ｌ１−ＲＳＲＰ：Layer  1  Reference  Signal  Received  Power）であってもよい。また、ＲＳ測定の代わりに又はＲＳ測定に加えて、下り制御チャネル（ＰＤＣＣＨ：Physical  Downlink  Control  Channel）などに基づいてビーム障害検出が実施されてもよい。ＢＦＤ−ＲＳは、ＵＥによってモニタされるＰＤＣＣＨのＤＭＲＳと擬似コロケーション（ＱＣＬ：Quasi-Co-Location）であると期待されてもよい。
【００２３】
ここで、ＱＣＬとは、チャネルの統計的性質を示す指標である。例えば、ある信号／チャネルと他の信号／チャネルがＱＣＬの関係である場合、これらの異なる複数の信号／チャネル間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが同一である（これらの少なくとも１つに関してＱＣＬである）と仮定できることを意味してもよい。
【００２４】
なお、空間受信パラメータは、ＵＥの受信ビーム（例えば、受信アナログビーム）に対応してもよく、空間的ＱＣＬに基づいてビームが特定されてもよい。本開示におけるＱＣＬ（又はＱＣＬの少なくとも１つの要素）は、ｓＱＣＬ（spatial  QCL）で読み替えられてもよい。
【００２５】
ＢＦＤ−ＲＳに関する情報（例えば、ＲＳのインデックス、リソース、数、ポート数、プリコーディングなど）、ビーム障害検出（ＢＦＤ）に関する情報（例えば、上述の閾値）などは、上位レイヤシグナリングなどを用いてＵＥに設定（通知）されてもよい。ＢＦＤ−ＲＳに関する情報は、ＢＦＲ用リソースに関する情報などと呼ばれてもよい。
【００２６】
本開示において、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２７】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００２８】
ＵＥのＭＡＣレイヤは、ＵＥのＰＨＹレイヤからビーム障害インスタンス通知を受信した場合に、所定のタイマ（ビーム障害検出タイマと呼ばれてもよい）を開始してもよい。ＵＥのＭＡＣレイヤは、当該タイマが満了するまでにビーム障害インスタンス通知を一定回数（例えば、ＲＲＣで設定されるbeamFailureInstanceMaxCount）以上受信したら、ＢＦＲをトリガ（例えば、後述のランダムアクセス手順のいずれかを開始）してもよい。
【００２９】
基地局は、ＵＥからの通知がない場合、又はＵＥから所定の信号（ステップＳ１０４におけるビーム回復要求）を受信した場合に、当該ＵＥがビーム障害を検出したと判断してもよい。
【００３０】
ステップＳ１０３において、ＵＥはビーム回復のため、新たに通信に用いるための新候補ビーム（new  candidate  beam）のサーチを開始する。ＵＥは、所定のＲＳを測定することによって、当該ＲＳに対応する新候補ビームを選択してもよい。ステップＳ１０３において測定されるＲＳは、新候補ビーム識別のためのＲＳ（ＮＣＢＩ−ＲＳ：New  Candidate  Beam  Identification  RS）、ＣＢＩ−ＲＳ、ＣＢ−ＲＳ（Candidate  Beam  RS）などと呼ばれてもよい。ＮＣＢＩ−ＲＳは、ＢＦＤ−ＲＳと同じであってもよいし、異なってもよい。なお、新候補ビームは、単に候補ビームと呼ばれてもよい。
【００３１】
ＵＥは、所定の条件を満たすＲＳに対応するビームを、新候補ビームとして決定してもよい。ＵＥは、例えば、設定されたＮＣＢＩ−ＲＳのうち、Ｌ１−ＲＳＲＰが閾値を超えるＲＳに基づいて、新候補ビームを決定してもよい。なお、判断の基準（クライテリア）は、Ｌ１−ＲＳＲＰに限られない。ＳＳＢに関するＬ１−ＲＳＲＰは、ＳＳ−ＲＳＲＰと呼ばれてもよい。ＣＳＩ−ＲＳに関するＬ１−ＲＳＲＰは、ＣＳＩ−ＲＳＲＰと呼ばれてもよい。
【００３２】
ＮＣＢＩ−ＲＳに関する情報（例えば、ＲＳのリソース、数、ポート数、プリコーディングなど）、新候補ビーム識別（ＮＣＢＩ）に関する情報（例えば、上述の閾値）などは、上位レイヤシグナリングなどを用いてＵＥに設定（通知）されてもよい。ＮＣＢＩ−ＲＳに関する情報は、ＢＦＤ−ＲＳに関する情報に基づいて取得されてもよい。ＮＣＢＩ−ＲＳに関する情報は、ＮＢＣＩ用リソースに関する情報などと呼ばれてもよい。
【００３３】
なお、ＢＦＤ−ＲＳ、ＮＣＢＩ−ＲＳなどは、無線リンクモニタリング参照信号（ＲＬＭ−ＲＳ：Radio  Link  Monitoring  RS）で読み替えられてもよい。
【００３４】
ステップＳ１０４において、新候補ビームを特定したＵＥは、ビーム回復要求（ＢＦＲＱ：Beam  Failure  Recovery  reQuest）を送信する。ビーム回復要求は、ビーム回復要求信号、ビーム障害回復要求信号などと呼ばれてもよい。
【００３５】
ＢＦＲＱは、例えば、上り制御チャネル（ＰＵＣＣＨ：Physical  Uplink  Control  Channel）、ランダムアクセスチャネル（ＰＲＡＣＨ：Physical  Random  Access  Channel）、上り共有チャネル（ＰＵＳＣＨ：Physical  Uplink  Shared  Channel）、コンフィギュアドグラント（configured  grant）ＰＵＳＣＨの少なくとも１つを用いて送信されてもよい。
【００３６】
ＢＦＲＱは、ステップＳ１０３において特定された新候補ビームの情報を含んでもよい。ＢＦＲＱのためのリソースが、当該新候補ビームに関連付けられてもよい。ビームの情報は、ビームインデックス（ＢＩ：Beam  Index）、所定の参照信号のポートインデックス、リソースインデックス（例えば、ＣＳＩ−ＲＳリソース指標（ＣＲＩ：CSI-RS  Resource  Indicator）、ＳＳＢリソース指標（ＳＳＢＲＩ））などを用いて通知されてもよい。
【００３７】
Ｒｅｌ−１５  ＮＲでは、衝突型ランダムアクセス（ＲＡ：Random  Access）手順に基づくＢＦＲであるＣＢ−ＢＦＲ（Contention-Based  BFR）及び非衝突型ランダムアクセス手順に基づくＢＦＲであるＣＦ−ＢＦＲ（Contention-Free  BFR）が検討されている。ＣＢ−ＢＦＲ及びＣＦ−ＢＦＲでは、ＵＥは、ＰＲＡＣＨリソースを用いてプリアンブル（ＲＡプリアンブル、ランダムアクセスチャネル（ＰＲＡＣＨ：Physical  Random  Access  Channel）、ＲＡＣＨプリアンブルなどともいう）をＢＦＲＱとして送信してもよい。
【００３８】
また、ＮＲでは、複数のＰＲＡＣＨフォーマット（ＰＲＡＣＨプリアンブルフォーマット）が検討されている。各ＰＲＡＣＨフォーマットを用いるＲＡ（Random  Access）プリアンブルは、ＲＡＣＨ  ＯＦＤＭシンボルを含む。更に、ＲＡプリアンブルは、サイクリックプレフィックス（ＣＰ）、ガード期間（ＧＰ）の少なくとも１つを含んでもよい。例えば、ＰＲＡＣＨフォーマット０〜３は、ＲＡＣＨ  ＯＦＤＭシンボルにおいて、長系列（long  sequence）のプリアンブル系列を用いる。ＰＲＡＣＨフォーマットＡ１〜Ａ３、Ｂ１〜Ｂ４、Ｃ０、Ｃ２は、ＲＡＣＨ  ＯＦＤＭシンボルにおいて、短系列（short  sequence）のプリアンブル系列を用いる。
【００３９】
アンライセンスキャリアの周波数は、ＦＲ（Frequency  Range）１及びＦＲ２のいずれかの周波数範囲内であってもよい。ＦＲ１は、所定周波数よりも低い周波数範囲であり、ＦＲ２は、所定周波数よりも高い周波数範囲であってもよい。
【００４０】
ＲＡプリアンブル系列は、Zadoff-Chu（ＺＣ）系列であってもよい。プリアンブル系列長は、８３９（長系列）、１３９のいずれかであってもよい。プリアンブル系列は、ＰＲＡＣＨに割り当てられた周波数リソース（例えば、サブキャリア）にマップされてもよい。ＲＡプリアンブルは、複数のニューメロロジーの１つを用いてもよい。ＮＲのＦＲ１の長系列のためのサブキャリア間隔（SubCarrier  Spacing：ＳＣＳ）は、１．２５、５ｋＨｚのいずれかであってもよい。ＮＲのＦＲ１の短系列のためのＳＣＳは、１５、３０ｋＨｚのいずれかであってもよい。ＮＲのＦＲ２の短系列のためのＳＣＳは、６０、１２０ｋＨｚのいずれかであってもよい。ＬＴＥの長系列のためのＳＣＳは、１．２５ｋＨｚであってもよい。ＬＴＥの短系列のためのＳＣＳは、７．５ｋＨｚであってもよい。
【００４１】
ＣＢ−ＢＦＲでは、ＵＥは、１つ又は複数のプリアンブルからランダムに選択したプリアンブルを送信してもよい。一方、ＣＦ−ＢＦＲでは、ＵＥは、基地局からＵＥ固有に割り当てられたプリアンブルを送信してもよい。ＣＢ−ＢＦＲでは、基地局は、複数ＵＥに対して同一のプリアンブルを割り当ててもよい。ＣＦ−ＢＦＲでは、基地局は、ＵＥ個別にプリアンブルを割り当ててもよい。
【００４２】
なお、ＣＢ−ＢＦＲ及びＣＦ−ＢＦＲは、それぞれＣＢ  ＰＲＡＣＨベースＢＦＲ（ＣＢＲＡ−ＢＦＲ：contention-based  PRACH-based  BFR）及びＣＦ  ＰＲＡＣＨベースＢＦＲ（ＣＦＲＡ−ＢＦＲ：contention-free  PRACH-based  BFR）と呼ばれてもよい。ＣＢＲＡ−ＢＦＲは、ＢＦＲ用ＣＢＲＡと呼ばれてもよい。ＣＦＲＡ−ＢＦＲは、ＢＦＲ用ＣＦＲＡと呼ばれてもよい。
【００４３】
ＣＢ−ＢＦＲ、ＣＦ−ＢＦＲのいずれであっても、ＰＲＡＣＨリソース（ＲＡプリアンブル）に関する情報は、例えば、上位レイヤシグナリング（ＲＲＣシグナリングなど）によって通知されてもよい。例えば、当該情報は、検出したＤＬ−ＲＳ（ビーム）とＰＲＡＣＨリソースとの対応関係を示す情報を含んでもよく、ＤＬ−ＲＳごとに異なるＰＲＡＣＨリソースが関連付けられてもよい。
【００４４】
ステップＳ１０５において、ＢＦＲＱを検出した基地局は、ＵＥからのＢＦＲＱに対する応答信号（ｇＮＢレスポンスなどと呼ばれてもよい）を送信する。当該応答信号には、１つ又は複数のビームについての再構成情報（例えば、ＤＬ−ＲＳリソースの構成情報）が含まれてもよい。
【００４５】
当該応答信号は、例えばＰＤＣＣＨのＵＥ共通サーチスペースにおいて送信されてもよい。当該応答信号は、ＵＥの識別子（例えば、セル−無線ＲＮＴＩ（Ｃ−ＲＮＴＩ：Cell-Radio  RNTI））によって巡回冗長検査（ＣＲＣ：Cyclic  Redundancy  Check）スクランブルされたＰＤＣＣＨ（ＤＣＩ）を用いて通知されてもよい。ＵＥは、ビーム再構成情報に基づいて、使用する送信ビーム及び受信ビームの少なくとも一方を判断してもよい。
【００４６】
ＵＥは、当該応答信号を、ＢＦＲ用の制御リソースセット（ＣＯＲＥＳＥＴ：COntrol  REsource  SET）及びＢＦＲ用のサーチスペースセットの少なくとも一方に基づいてモニタしてもよい。
【００４７】
ＣＢ−ＢＦＲに関しては、ＵＥが自身に関するＣ−ＲＮＴＩに対応するＰＤＣＣＨを受信した場合に、衝突解決（contention  resolution）が成功したと判断されてもよい。
【００４８】
ステップＳ１０５の処理に関して、ＢＦＲＱに対する基地局（例えば、ｇＮＢ）からの応答（レスポンス）をＵＥがモニタするための期間が設定されてもよい。当該期間は、例えばｇＮＢ応答ウィンドウ、ｇＮＢウィンドウ、ビーム回復要求応答ウィンドウ、ＢＦＲＱレスポンスウィンドウなどと呼ばれてもよい。ＵＥは、当該ウィンドウ期間内において検出されるｇＮＢ応答がない場合、ＢＦＲＱの再送を行ってもよい。
【００４９】
ステップＳ１０６において、ＵＥは、基地局に対してビーム再構成が完了した旨を示すメッセージを送信してもよい。当該メッセージは、例えば、ＰＵＣＣＨによって送信されてもよいし、ＰＵＳＣＨによって送信されてもよい。
【００５０】
ビーム回復成功（BR  success）は、例えばステップＳ１０６まで到達した場合を表してもよい。一方で、ビーム回復失敗（BR  failure）は、例えばＢＦＲＱ送信が所定の回数に達した、又はビーム障害回復タイマ（Beam-failure-recovery-Timer）が満了したことに該当してもよい。
【００５１】
なお、これらのステップの番号は説明のための番号に過ぎず、複数のステップがまとめられてもよいし、順番が入れ替わってもよい。また、ＢＦＲを実施するか否かは、上位レイヤシグナリングを用いてＵＥに設定されてもよい。
【００５２】
ところで、上述したように、既存のＬＴＥシステムでは、複数のセルを利用して通信を行う場合に所定セル（例えば、プライマリセル）に対してのみＢＦＲを行うことが規定されていたが、ＮＲでは複数のセルに対してＢＦＲ手順を適用することが検討されている。
【００５３】
しかし、複数のセルに対してＢＦＲ手順を行う場合、ＢＦＲＱの報告又は当該報告に対する基地局からのレスポンス等の動作をどのように制御するかが問題となる。複数のセルに対してＢＦＲ手順を行う場合にＢＦＲＱの報告又は当該報告に対するレスポンス等が適切に制御されないと通信品質の劣化等が生じるおそれある。
【００５４】
そこで、本発明者らは、あらかじめ設定された所定セル又はＢＦが発生したセルにおいてＢＦＲ手順（例えば、ＢＦＲＱの送信及びＢＦＲＱレスポンスの受信の少なくとも一つ）を行うことを着想した。これにより、ＢＦＲ手順を適切に行なうことができるため、通信品質の劣化を抑制することができる。また、本発明者等は、ＢＦＲＱの送信を上り制御チャネル（例えば、ＰＵＣＣＨ）を利用して行うことを着想した。
【００５５】
以下、本開示に係る実施形態について、図面を参照して詳細に説明する。以下の各態様は、それぞれ単独で適用されてもよいし、組み合わせて適用されてもよい。なお、以下の説明では、ＢＦＲＱの送信を上り制御チャネルを利用して送信する場合を示すが、ＢＦＲＱの送信タイミングで上り共有チャネル（例えば、ＰＵＳＣＨ）の送信を行う場合には、ＰＵＳＣＨを利用してＢＦＲＱの送信を行ってもよい。
【００５６】
（第１の態様）
第１の態様は、複数のセルを利用して通信を行う構成（例えば、ＣＡ）において、ビーム障害（ＢＦ：Beam  Failureとも呼ぶ）が発生した場合、あらかじめ設定された所定セル又はＢＦが発生したセルにおいて上り制御チャネル（例えば、ＰＵＣＣＨ）を利用してビーム回復要求（ＢＦＲＱとも呼ぶ）の送信を行う。
【００５７】
複数のセルを利用して通信を行う構成としては、例えば、バンド内キャリアアグリゲーション（Ｉｎｔｒａ−ｂａｎｄ  ＣＡ）、又はバンド間キャリアアグリゲーション（Ｉｎｔｅｒ−ｂａｎｄ  ＣＡ）がある。図２は、バンド内ＣＡを適用する場合の一例を示し、図３は、バンド間ＣＡを適用する場合の一例を示している。
【００５８】
図２、図３では、複数の周波数バンドとして、第１の周波数帯（ＦＲ１：Frequency  Range  1）及び第２の周波数帯（ＦＲ２：Frequency  Range  2）の少なくとも１つの周波数帯（キャリア周波数）を用いる場合を示している。なお、適用する周波数バンドは２つに限られず、周波数バンド（又は、周波数領域）を３つ以上に区分してもよい。
【００５９】
例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。ＦＲ１は、サブキャリア間隔（ＳＣＳ：Sub-Carrier  Spacing）として１５、３０及び６０ｋＨｚのうちから少なくとも１つが用いられる周波数レンジと定義されてもよいし、ＦＲ２は、ＳＣＳとして６０及び１２０ｋＨｚのうちから少なくとも１つが用いられる周波数レンジと定義されてもよい。なお、ＦＲ１及びＦＲ２の周波数帯、定義などはこれらに限られず、例えばＦＲ１がＦＲ２よりも高い周波数帯であってもよい。
【００６０】
例えば、ＦＲ１を利用するセルと、ＦＲ２を利用するセルは、異なるニューメロロジー（例えば、サブキャリア間隔等）を適用する構成としてもよい。図２、図３では、一例として、ＦＲ１に含まれるセルが適用するサブキャリア間隔（ＳＣＳ）が１５ｋＨｚであり、ＦＲ２に含まれるセルが適用するサブキャリア間隔が１２０ｋＨｚである場合を示している。なお、同じ周波数バンドに含まれるセルが異なるニューメロロジーを適用してもよい。
【００６１】
図２では、周波数バンド毎にＣＡを適用する場合を示している。この場合、ＦＲ１に含まれる複数のセル間でＣＡを適用する。つまり、ＣＡを適用するセルは、同一周波数バンド内に含まれるセルに限定してもよい。この場合、ＦＲ１に含まれる特定のセルをプライマリセル、ＦＲ２に含まれる特定のセルをプライマリセル（又は、ＰＳＣｅｌｌ）としてもよい。
【００６２】
図３では、複数の周波数バンド間にわたってＣＡを適用する場合を示している。この場合、ＦＲ１に含まれる１以上のセルとＦＲ２に含まれる１以上のセル間でＣＡを適用する。この場合、ＦＲ１又はＦＲ２に含まれる特定のセルをプライマリセルとしてもよい。図３では、ＦＲ１に含まれるセルをプライマリセルとする場合を示している。
【００６３】
ＵＥは、複数のセルを利用する構成（例えば、図２、図３参照）において、いずれかのセルでビーム障害（ＢＦ）が発生した場合、ビーム回復（ＢＦＲ）手順を行う。例えば、ＵＥは、あらかじめ設定された所定セルにおいてＰＵＣＣＨを利用してビーム回復要求（ＢＦＲＱとも呼ぶ）の送信を行う。
【００６４】
あるいは、ＵＥは、ＢＦが発生したセル（例えば、ＢＦを検出したＳＣｅｌｌ）が属するＰＵＣＣＨグループにおいてＰＵＣＣＨ送信を行うセル（例えば、ＰＵＣＣＨ  ＳＣｅｌｌとも呼ぶ）のＰＵＣＣＨを利用してＢＦＲＱの送信を行う。これにより、ＢＦが発生したセル（例えば、ＳＣｅｌｌ）がＰＵＣＣＨ送信を行えない構成であっても、当該セルに対応するＰＵＣＣＨ  ＳＣｅｌｌのＰＵＣＣＨを利用してＢＦＲＱを送信することができる。
【００６５】
ＢＦＲＱの送信をＰＵＣＣＨで行う場合、ＵＥは、スケジューリングリクエスト（ＳＲ）を利用してもよい。この場合、ＵＥは、いずれかのセルでＢＦが発生した場合、所定セル、又はＢＦが発生したセルが属するグループのＰＵＣＣＨ  ＳＣｅｌｌに対してＰＵＣＣＨでＳＲを送信する。ＳＲは通知できる情報量が少ないが、ＢＦＲの要求の有無のみ通知する場合には、ＳＲを利用することによりＵＬのオーバヘッドの増加を抑制できる。
【００６６】
あるいは、ＵＥは、ＢＦＲＱをＰＣｅｌｌのビーム報告の一部として送信してもよい。この場合、ＢＦＲＱを上り制御情報（例えば、ＵＣＩ）に含めてＰＵＣＣＨ（例えば、所定のＰＵＣＣＨフォーマット）で送信する。例えば、ＵＥは、ＢＦＲＱをＵＣＩに含めて所定のＰＵＣＣＨフォーマット（例えば、ＰＦ２、３又は４）で送信する場合、ＢＦＲ情報（例えば、１ビット）以外の他の情報も送信できる。
【００６７】
この場合、ＵＥは、ＢＦＲＱの他に、新規候補ビームに関する情報を合わせて送信してもよい。新規候補ビームに関する情報は、候補ビームインデックス、候補ビームに対応するリソース情報、ＤＬ  ＲＳに基づいて測定した電力に関する情報（例えば、Ｌ１−ＲＳＲＰ）に関する情報、及びＤＬ  ＲＳに基づいて測定した品質に関する情報（例えば、Ｌ１−ＲＳＲＱ及びＳＩＮＲの少なくとも一つ）の少なくとも一つが含まれていてもよい。このように、ＵＣＩにＢＦＲＱを含めて送信することにより、ＢＦＲＱに加えて他の情報も同時に通知することができる。
【００６８】
あるいは、ＵＥは、ＭＡＣ制御情報（例えば、ＭＡＣ  ＣＥ）を用いてＢＦＲＱの通知を行ってもよい。例えば、ＵＥは、複数のＳＣｅｌｌがある場合に、最大１個のＳＣｅｌｌを報告してもよい。例えば、ＳＣｅｌｌが４個ある場合、２ビットを利用してＢＦＲＱの通知を行う。また、ＵＥは、ビットマップ形式を利用して、複数のＳＣｅｌｌの中の少なくとも一つを通知するように制御してもよい。
【００６９】
ＢＦＲＱ送信を行う所定セルは、あらかじめ仕様で定義された固定のセルであってもよいし、ネットワーク（例えば、基地局）からＵＥに設定されたセルであってもよい。固定のセルは、プライマリセル（ＰＣｅｌｌ）、又は特定のＳＣｅｌｌであってもよい。
【００７０】
＜固定セル利用＞
所定セルが固定のセル（例えば、ＰＣｅｌｌ）である場合、ＵＥは、いずれかのセルでＢＦが発生した際にＰＣｅｌｌに対してＢＦＲＱを送信する（図４参照）。ＢＦＲＱの送信は、上り制御チャネル（例えば、ＰＵＣＣＨ）を利用してもよい。
【００７１】
図４では、ＣＣ＃０がＰＣｅｌｌ、ＣＣ＃１−＃３がＳＣｅｌｌである場合を示している。この場合、ＵＥは、ＣＣ＃１−ＣＣ＃３のいずれかでＢＦが発生した場合、ＣＣ＃０のＰＵＣＣＨを利用してＢＦＲＱを送信するように制御する。
【００７２】
このように、ＢＦＲＱの送信をＢＦが発生したセル（又は、ＢＦＲが必要となるセル）とは別のセルを利用して行う構成とすることにより、ＢＦＲＱ送信の成功確率を向上することができる。なお、固定のセルは、ＰＵＣＣＨの送信を行えるセルであればよく、ＰＳＣｅｌｌであってもよいし、ＰＵＣＣＨ  ＳＣｅｌｌであってもよい。
【００７３】
＜指定された所定セル利用＞
所定セルが、ネットワーク（例えば、基地局）からＵＥに設定されたセルである場合、ＵＥは、いずれかのセルでＢＦが発生（又は、ＢＦを検出）した際に基地局から設定された所定セルに対してＢＦＲＱを送信する。ＢＦＲＱの送信は、ランダムアクセスチャネル（例えば、ＰＲＡＣＨ）を利用してもよい。
【００７４】
基地局から設定される所定セルは、プライマリセル、ＰＳＣｅｌｌ、又はＰＵＣＣＨ  ＳＣｅｌｌであってもよい。基地局は、上位レイヤ（例えば、ＲＲＣシグナリング）を利用して、ＢＦＲＱの送信を行うセルをＵＥに設定してもよい。例えば、基地局は、ＢＦＲＱの送信に利用するセルに関する情報（例えば、セルインデックス）を所定の上位レイヤパラメータ（例えば、BeamFailureRecoveryConfig）に含めてＵＥに送信してもよい。また、基地局は、所定の上位レイヤパラメータを用いて、ＢＦＲＱ送信に利用するＰＵＣＣＨ構成（例えば、ＢＦＲＱ用のＰＵＣＣＨリソース）をＵＥに通知してもよい。
【００７５】
なお、所定の上位レイヤパラメータ（例えば、BeamFailureRecoveryConfig）には、セルに関する情報、ＰＵＣＣＨリソースに関する情報に加えて、回復用の候補ビームを示す参照信号（例えば、ＣＳＩ−ＲＳ及びＳＳＢの少なくとも一つ）候補のリストの情報、ＢＦＲＱに対するレスポンスに利用されるサーチスペースの情報、及びＰＵＣＣＨオケージョン毎のＳＳＢ数の情報の少なくとも一つが含まれていてもよい。もちろん、他の情報が含まれていてもよい。
【００７６】
ＵＥは、基地局から通知された所定の上位レイヤパラメータに基づいて、ＢＦＲＱを送信する所定セルを判断し、当該所定セルにおいてＢＦＲ手順（例えば、ＰＵＣＣＨを利用したＢＦＲＱ送信等）を制御する。このように、ＢＦＲＱの送信を基地局から設定されたセルで行う構成とすることにより、ＢＦＲ手順（例えば、ＢＦＲＱ送信等）を柔軟に制御することができる。
【００７７】
なお、ＢＦＲ手順は、セル（又は、ＣＣ）毎に行う場合を示したが、これに限られない。ＢＦＲ手順を帯域幅部分（ＢＷＰ：Bandwidth  part）単位で行ってもよい。例えば、ＢＷＰは、セル（又は、ＣＣ）内に１つ設定されてもよいし、複数設定されてもよい。この場合、所定の上位レイヤパラメータ（例えば、BeamFailureRecoveryConfig）はセルに設定されるＢＷＰ毎にＵＥに通知されてもよい。
【００７８】
＜ＢＦ発生セル利用＞
ＵＥは、いずれかのセルでＢＦが発生した際に当該ＢＦが発生したセル（例えば、ＢＦＲが必要となるセル）に対応して設定されるＰＵＣＣＨセルに対してＢＦＲＱを送信する（図５参照）。ＢＦＲＱの送信は、候補ビームを適用したＰＵＣＣＨを利用してもよい。
【００７９】
図５では、ＣＣ＃０がＰＣｅｌｌ、ＣＣ＃１−＃３がＳＣｅｌｌである場合を示している。また、ＣＣ＃１−＃３は同じＰＵＣＣＨグループに属しており、ＣＣ＃１がＰＵＣＣＨ  ＳＣｅｌｌである場合を示している。ＵＥは、ＢＦが発生した場合、当該ＢＦを検出したＣＣが含まれるＰＵＣＣＨグループのＰＵＣＣＨセルとなるＣＣ（ここでは、ＣＣ＃１）のＰＵＣＣＨを利用してＢＦＲＱを送信するように制御する。
【００８０】
このように、ＢＦＲＱの送信をＢＦが発生したセル（又は、ＢＦＲが必要となるセル）に対応するＰＵＣＣＨセルを利用して行う構成とすることにより、ＢＦＲＱの送信が１つのセルに集中することを抑制することができる。
【００８１】
＜ＢＦＲＱのＰＵＣＣＨ系列／リソース＞
ＵＥは、ＢＦが発生した場合、ＢＦＲを報告（ＢＦＲＱを送信）するためにＰＵＣＣＨの送信を行う。この場合、ＵＥは、所定のＰＵＣＣＨの系列とＰＵＣＣＨリソースを利用してＰＵＣＣＨの送信を行う。ＰＵＣＣＨリソースは、ＰＵＣＣＨ送信用に設定されるＰＰＵＣＣＨ送信候補領域（例えば、ＰＵＣＣＨオケージョンとも呼ぶ）の範囲内に含まれる時間リソース及び周波数リソースの少なくとも一方であればよい。以下の説明では、ＰＵＣＣＨリソースとＰＵＣＣＨオケージョンを互いに読み替えてもよい。
【００８２】
ＵＥは、受信した所定の参照信号（ＢＦＲ−ＲＳ）に対応するＰＵＣＣＨリソース（又は、ＰＵＣＣＨオケージョン）を利用してＰＵＣＨｈを送信する。この場合、基地局とＵＥ間のビーム送受信において、基地局（又は、ＵＥ）が送信に適用するビーム（Ｔｘ  ＢＦ）と受信に適用するビーム（Ｒｘ  ＢＦ）が一致しているか否かに応じてビームを利用した送信方法を適宜制御してもよい。
【００８３】
基地局等において送信に適用するビームと受信に適用するビームが一致する場合は、ビームコレスポンデンスを有する（サポートしている）と呼んでもよい。一方で、送信に適用するビームと受信に適用するビームが一致しない場合は、ビームコレスポンデンスを有しない（サポートしていない）と呼んでもよい。
【００８４】
送信に適用するビームと受信に適用するビームが一致するとは、完全に一致する場合に限られず、所定の許容範囲において一致する場合も含むものとする。なお、ビームコレスポンデンスは、送信／受信ビームコレスポンデンス（Tx/Rx  beam  correspondence）、ビームレシプロシティ（beam  reciprocity）、ビームキャリブレーション（beam  calibration）、較正済／未較正（Calibrated/Non-calibrated）、レシプロシティ較正済／未較正（reciprocity  calibrated/non-calibrated）、対応度、一致度、単にコレスポンデンスなどと呼ばれてもよい。
【００８５】
基地局がビームコレスポンデンスを有する場合、基地局においてＤＬ信号／チャネルの送信に適用するビームと、ＵＥから送信されるＵＬ信号の受信に適用するビームが一致する。このため、基地局は、ＵＥにおいて受信特性（例えば、受信電力）が高いＤＬ信号／チャネル（又は、ビーム）を把握することにより、当該ＵＥとの送受信に好適となるビームを判断できる。
【００８６】
例えば、基地局は、時間方向において異なるＤＬリソース（又は、ＤＬビーム）を利用して複数の同期信号ブロック（ＳＳＢ）又はＣＳＩ−ＲＳを送信する（図６参照）。ＵＥは、受信特性（例えば、受信電力）等に基づいて所定のＳＳＢを選択し、所定のＳＳＢに関連付けられたＰＵＣＣＨオケージョン（又は、ＵＬリソース、ＵＬビーム）を利用してＰＵＣＣＨの送信を行ってもよい。
【００８７】
基地局は、各ＳＳＢに関連付けられたＵＬリソースに対してそれぞれ受信処理を行い、ＵＥからの送信に利用されたＵＬリソースに基づいてＤＬとＵＬに好適となる所定ビームを決定する。
【００８８】
一方で、基地局がビームコレスポンデンスを有しない場合、基地局においてＤＬ信号／チャネルの送信に適用するビームと、ＵＥから送信されるＵＬ信号／チャネルの受信に適用するビームは一致（又は、リンク）しない。基地局は、ＵＥにおいて受信特性（例えば、受信電力）が高いＤＬ信号／チャネルを把握することにより、ＤＬ送信に好適となるビームを判断できる。また、基地局は、ＵＥから送信されたＵＬ信号／チャネルのうち受信特性が高いＵＬ信号／チャネル（又は、ビーム）を把握することにより、ＵＬの受信に好適となるビームを判断できる。
【００８９】
例えば、基地局は、時間方向において異なるＤＬリソース（又は、ＤＬビーム）を利用して複数のＳＳＢ又はＣＳＩ−ＲＳを送信する（図７参照）。ＵＥは、受信特性（例えば、受信電力）等に基づいて所定のＳＳＢを選択し、所定のＳＳＢに関連付けられたＰＵＣＣＨオケージョン（又は、ＵＬリソース、ＵＬビーム）を利用してＰＵＣＣＨの送信を行う。
【００９０】
基地局は、各ＳＳＢに関連付けられたＵＬリソースに対してそれぞれ受信処理を行い、ＵＥからの送信に利用されたＵＬリソースに基づいてＤＬに好適となる所定の送信ビームを決定する。また、基地局は、当該所定のＳＳＢに関連付けられたＵＬリソースにおいて、所定期間（例えば、シンボル）毎に送信されるＵＬ信号の受信特性に基づいてＵＬに好適となる所定の受信ビームを決定する。
【００９１】
このように、ＵＥは、ＢＦＲ手順において受信した参照信号（例えば、ＳＳＢインデックス、又はＣＳＩ−ＲＳインデックス）と関連づけられたＰＵＣＣＨリソース（例えば、時間リソース）を利用してＢＦＲＱ用のＰＵＣＣＨの送信を行うことが考えられる。
【００９２】
一方で、ＢＦＲＱの送信を所定セル（例えば、固定のセル又は指定された所定セル）で行う場合、ＢＦＤ−ＲＳに基づいてＢＦを検出したセルとＢＦＲＱ送信を行うセルのニューメロロジーが異なるケースも生じ得る。例えば、ＢＦが発生したセルで第１のサブキャリア間隔（例えば、３０ｋＨｚ以上のＳＣＳ）が適用され、ＢＦＲＱ送信を行うセルで第２のサブキャリア間隔（例えば、１５ｋＨｚのＳＣＳ）が適用される場合が考えられる。
【００９３】
特に、バンド間ＣＡを適用する場合、Ｆ２に含まれるＣＣで発生したＢＦに対するＢＦＲＱ送信をＦ１に含まれるＣＣで行うケース（例えば、図３参照）も想定される。このように、バンド間ＣＡでは、ＢＦＲＱ送信を行う所定セルで適用されるＳＣＳと、ＢＦが発生したセルで適用されるＳＣＳが異なる可能性が高くなると考えられる。
【００９４】
また、１つのＢＦＤ−ＲＳ（例えば、ＳＳＢ）の送信周期内に送信できるＳＳＢの最大数Ｌが周波数バンドに応じて決められることも考えられる。例えば、０−３ＧＨｚの周波数バンドにおけるＬは４であり、３−６ＧＨｚの周波数バンドにおけるＬは８であり、６−５２．６ＧＨｚの周波数バンドにおけるＬは６４であってもよい。ＳＳＢ送信周期は、５、１０、２０、４０、８０、１６０ｍｓの１つに設定されてもよい。このように、ＳＳブロックインデックスは、適用する周波数バンド（又は、周波数領域）に基づいて設定されることも考えられる。
【００９５】
例えば、Ｆ２に含まれるＣＣ（例えば、ＣＣ＃３）で発生したＢＦに対するＢＦＲＱ送信をＦ１に含まれるＣＣ（例えば、ＣＣ＃０）で行うケースを想定する（図３、図４参照）。ここでは、ＣＣ＃０のＳＣＳが１５ｋＨｚ、ＣＣ＃３のＳＣＳが１２０ｋＨｚであり、ＣＣ＃０において適用されるＳＳＢの最大数Ｌが４、ＣＣ＃３において適用されるＳＳＢの最大数Ｌが６４である場合を想定する。
【００９６】
仮に、ＣＣ＃３に対するＢＦＲＱ用のＰＵＣＣＨを当該ＣＣ＃３に送信する場合、ＳＣＳが１２０ｋＨｚのＣＣ＃３においてＳＳＢインデックス０−６３に対応するＰＵＣＣＨリソース（例えば、時間リソース）が設定される。一方で、ＣＣ＃３に対するＢＦＲＱ用のＰＵＣＣＨを当該ＣＣ＃０に送信する場合、ＳＣＳが１５ｋＨｚのＣＣ＃０においてＳＳＢインデックス０−６３に対応するＰＵＣＣＨリソース（例えば、時間リソース）が設定される（図８参照）。
【００９７】
ＣＣ＃３よりシンボル長が長いＣＣ＃０において、６４個のＰＵＣＣＨリソース（例えば、時間リソース）が設定される場合、ＰＵＣＣＨ送信において遅延が生じる。これにより、ＢＦＲ手順のスループットが低下し、通信品質が劣化するおそれがある。
【００９８】
そこで、本実施の形態では、ＢＦが発生した第１のセル用のＢＦＲＱ送信を、ニューメロロジーが異なる第２のセルを利用して行う場合に、ＰＵＣＣＨの送信条件（又は、送信パラメータ）を変更して行う。
【００９９】
例えば、ＢＦが発生した第１のセルで適用するサブキャリア間隔が、ＢＦＲＱ用のＰＵＣＣＨ送信を行う所定セル（又は、第２のセル）で適用するサブキャリア間隔より広い場合を想定する。一例として、ＢＦが発生した第１のセルで適用するサブキャリア間隔が１２０ｋＨｚ、ＢＦＲＱ用のＰＲＡＣＨを送信する第２のセルで適用するサブキャリア間隔が１５ｋＨｚである場合が挙げられる。もちろん、各セルに適用可能なサブキャリア間隔の値はこれに限られない。
【０１００】
かかる場合、第２のセルのＰＵＣＣＨ送信で適用するＰＵＣＣＨリソース（例えば、時間リソース）の数を、第１のセルで設定可能な参照信号インデックスの数、又は第１のセルの参照信号インデックスに対応するＰＵＣＣＨリソースの数より少なく設定する。ＰＵＣＣＨリソース（例えば、時間リソース）は、ＰＵＣＣＨ送信に利用する時間領域（time  domain）のリソース（時間リソースとも呼ぶ）であればよく、所定期間（例えば、シンボル）単位で設定されてもよい。
【０１０１】
参照信号インデックスは、ＳＳＢインデックス、又はＣＳＩ−ＲＳインデックスであってもよい。例えば、第１のセルにおいて適用されるＳＳＢインデックスがＳＳＢ＃０−＃６３の場合、参照信号インデックスの数は６４に相当する。
【０１０２】
例えば、ＵＥは、第１のセルで検出したＢＦに対するＢＦＲＱ用のＰＵＣＣＨ送信を第２のセルで行う場合、第１のセルで適用可能な参照信号インデックスの数（例えば、６４個）より少なく設定されるＰＵＣＣＨの時間リソースを適用する。
【０１０３】
図９は、第２のセルで設定されるＰＵＣＣＨリソース（例えば、時間リソース）を１個とする場合を示している。つまり、ＰＵＣＣＨオケージョンにおいて１つの時間リソースが設定される。この場合、アナログビームフォーミング（アナログＢＦ）を適用せず、デジタルビームフォーミング（デジタルＢＦ）を適用してもよい。
【０１０４】
一方で、ＰＵＣＣＨ送信に適用する周波数リソース、及び系列の少なくとも一方を利用して、第１のセルで適用可能な参照信号インデックスの数（例えば、６４個）に対応するＰＵＣＣＨリソースを設定してもよい。
【０１０５】
つまり、第２のセルで第１のセルのＢＦＲＱ用のＰＵＣＣＨ送信を行う場合、第２のセルのＰＵＣＣＨ送信で適用する時間リソース、周波数リソース及び系列の組み合わせと、第１のセルの参照信号インデックスを対応づけてもよい。
【０１０６】
なお、第２のセルで設定されるＰＵＣＣＨリソース（例えば、時間リソース）は１個に限られない。例えば、図１０に示すように、第２のセルで設定されるＰＵＣＣＨリソース（例えば、時間リソース）は２個以上としてもよい。この場合、アナログＢＦを適用してもよい。あるいは、第２のセルで設定されるＰＵＣＣＨリソース（例えば、時間リソース）は、当該第２のセルの参照信号インデックスの数（例えば、４個）としてもよい。
【０１０７】
このように、ＢＦを検出したセルと、当該ＢＦに対するＢＦＲＱ送信を行うセルのサブキャリア間隔が異なる場合に、ＰＵＣＣＨの時間リソースを減らして設定することにより、ＢＦＲ手順の遅延を抑制し、通信品質の劣化を抑制できる。また、図９、図１０に示すＰＲＡＣＨの時間リソースの調整は、バンド間ＣＡに対してのみ行ってもよい。あるいは、バンド内ＣＡを適用する場合であっても、複数のセル間で異なるサブキャリア間隔を適用する場合には図９、図１０に示すＰＵＣＣＨの時間リソースの調整を行ってもよい。
【０１０８】
また、ＵＥは、ビーム毎のＰＵＣＣＨリソースは、それぞれ上位レイヤで通知されると想定してもよい。例えば、図１０において、基地局は、複数のＰＵＣＣＨリソースをＵＥに設定してもよい。
【０１０９】
この場合、ビーム測定用の参照信号（ＳＳＢ又はＣＳＩ−ＲＳ等）リソースのそれぞれにＢＦＲＱ用のＰＵＣＣＨリソースを設定してもよい。あるいは、ＢＦＲＱ用のＰＵＣＣＨリソースとＰＵＣＣＨリソースインデックスが対応付けて設定され、ビーム測定用の参照信号とＰＵＣＣＨリソースインデックスを関連付けて設定してもよい。
【０１１０】
あるいは、各ＢＦＲＱ用のＰＵＣＣＨリソースに対して、ＴＣＩ状態（ＴＣＩ  ｓｔａｔｅ）を関連付けて設定してもよい。ＴＣＩ状態は、ビーム測定用の参照信号と、当該参照信号とＱＣＬタイプの関係を示す構成であってもよい。ＵＥは、ＢＦＲ動作において、新規候補ビームを選択した場合、当該新規候補ビームに対応するＰＵＣＣＨリソースを利用してＢＦＲＱの送信を行う。
【０１１１】
＜参照信号インデックスとＰＵＣＣＨオケージョンの対応づけ＞
ＵＥは、第１のセルの参照信号インデックス（例えば、ＳＳＢインデックス、又はＣＳＩ−ＲＳインデックス）と、ＰＵＣＣＨリソース（又は、ＰＵＣＣＨオケージョン）との関連付けを所定ルールに基づいて制御してもよい。例えば、ＵＥは、プリアンブル系列、周波数リソースインデックス、時間リソースインデックス、及びＰＵＣＣＨスロットのインデックスの少なくとも一つに基づいてＳＳＢインデックスとＰＵＣＣＨオケージョンの対応関係を判断してもよい。
【０１１２】
一例として、以下の順序（１）−（４）に基づいて参照信号インデックスとＰＵＣＣＨオケージョンとの対応付けを行ってもよい。
順序（１）：１つのＰＵＣＣＨオケージョン内においてプリアンブルインデックスを昇順とする
順序（２）：周波数多重されるＰＵＣＣＨオケージョンに対して、周波数リソースインデックスを昇順とする
順序（３）：ＰＵＣＣＨスロット内において時間多重されるＰＵＣＣＨオケージョンに対して、時間リソースインデックスを昇順とする
順序（４）：ＰＵＣＣＨスロットに対して、インデックスを昇順とする
【０１１３】
ＵＥは、所定の参照信号インデックス（例えば、新規候補ビームに対応するＳＳＢインデックス）に対応するＰＵＣＣＨリソースを利用して、ＰＵＣＣＨ送信を行ってもよい。これにより、基地局はＵＥから送信されたＰＵＣＣＨのリソースに基づいて、新規候補ビームを判断してもよい。
【０１１４】
＜バリエーション＞
ＢＦＲＱの送信に利用する上りチャネルをセル種別等に応じて使い分けてもよい。例えば、ＵＥは、プライマリセル（ＰＣｅｌｌ）においてＢＦＲを検出した場合には、ランダムアクセスチャネル（ＰＲＡＣＨ）を利用してＢＦＲＱを当該ＰＣｅｌｌに送信する。一方で、セカンダリセルにおいてＢＦＲを検出した場合には、上記第１の態様で示したようにＰＵＣＣＨを利用してＢＦＲＱの送信を行ってもよい。つまり、第１のセル（例えば、ＰＣｅｌｌ）には、ＲＡＣＨベースのＢＦＲＱ送信を行い、第２のセル（例えば、ＳＣｅｌｌ）には、ＰＵＣＣＨベースのＢＦＲＱ送信を行ってもよい。
【０１１５】
（第２の態様）
第２の態様は、複数のセルを利用して通信を行う構成（例えば、ＣＡ）において、ビーム障害（ＢＦ）が発生したセルのＢＦＲＱ送信が行われた場合、あらかじめ設定された所定セル又はＢＦが発生したセルにおいてＢＦＲＱに対するレスポンスを行う。ＢＦＲＱに対するレスポンスは、ＢＦＲＱ応答、ＢＦＲＱレスポンス、ＢＦＲＱＲとも呼ぶ。
【０１１６】
ＵＥは、複数のセルを利用する構成（例えば、図２、図３参照）において、いずれかのセルでＢＦが発生した場合、ＢＦＲ手順を行う。ＢＦＲ手順において、ＵＥは、ＢＦＲＱを送信した後に、当該ＢＦＲＱに対する応答信号に相当するＢＦＲＱレスポンス（ＢＦＲＱＲ）を受信する。ＵＥは、あらかじめ設定された所定セル、又はＢＦが発生したセル（あるいは、ＢＦＲＱを送信したセル）において、ＢＦＲＱレスポンスを受信する。
【０１１７】
所定セルは、あらかじめ仕様で定義された固定のセルであってもよいし、ネットワーク（例えば、基地局）からＵＥに設定されたセルであってもよい。固定のセルは、プライマリセル（ＰＣｅｌｌ）、又は特定のＳＣｅｌｌであってもよい。
【０１１８】
＜固定セル利用＞
所定セルがプライマリセル（ＰＣｅｌｌ）である場合、ＵＥは、いずれかのセルで送信したＢＦＲＱに対する応答信号をＰＣｅｌｌで受信する（図１１参照）。ＢＦＲＱレスポンスの受信は、所定のＤＬチャネル（例えば、所定ＤＣＩでスケジュールされるＰＤＳＣＨ等）を利用してもよい。
【０１１９】
図１１では、ＣＣ＃０がＰＣｅｌｌ、ＣＣ＃１−＃３がＳＣｅｌｌである場合を示している。この場合、ＵＥは、ＣＣ＃０−ＣＣ＃３のいずれかで送信したＢＦＲＱに対する応答信号を、ＣＣ＃０で受信するように制御する。図１１Ａでは、ＵＥが、ＵＥは、ＣＣ＃０で送信したＢＦＲＱに対する応答信号をＣＣ＃０で受信する場合を示している。図１１Ｂでは、ＣＣ＃１−＃３で送信したＢＦＲＱに対する応答信号をＣＣ＃０で受信する場合を示している。
【０１２０】
このように、ＢＦＲＱレスポンスの受信を固定的に設定されるセルを利用して行うことにより、ＢＦＲＱレスポンスの受信処理（例えば、モニタ）を当該固定的に設定されるセルに対してのみ行えばよいため、ＵＥの受信処理の負荷を低減できる。
【０１２１】
なお、図１１では、固定的に設定されるセルがＰＣｅｌｌである場合を示したが、これに限られない。特定のＳＣｅｌｌ（例えば、ＰＳＣｅｌｌ又はＰＵＣＣＨ  ＳＣｅｌｌ）を固定セルとしてもよい。
【０１２２】
＜指定された所定セル利用＞
所定セルが、ネットワーク（例えば、基地局）からＵＥに設定されたセルである場合、ＵＥは、いずれかのセルで送信したＢＦＲＱに対する応答信号を基地局から設定された所定セルで受信する。
【０１２３】
基地局から設定される所定セルは、プライマリセル、ＰＳＣｅｌｌ、又はＳＣｅｌｌであってもよい。基地局は、上位レイヤ（例えば、ＲＲＣシグナリング）を利用して、ＢＦＲＱレスポンスの受信を行うセルをＵＥに設定してもよい。例えば、基地局は、ＢＦＲＱレスポンスの受信に利用するセルに関する情報（例えば、セルインデックス）を所定の上位レイヤパラメータ（例えば、BeamFailureRecoveryConfig）に含めてＵＥに送信してもよい。
【０１２４】
なお、所定の上位レイヤパラメータ（例えば、BeamFailureRecoveryConfig）には、ＢＦＲＱの送信に利用するセルに関する情報、ＢＦＲＱの送信に利用するＰＵＣＣＨ構成の情報、回復用の候補ビームを示す参照信号（例えば、ＣＳＩ−ＲＳ及びＳＳＢの少なくとも一つ）候補のリストの情報、ＢＦＲに対するレスポンスに利用されるサーチスペースの情報、及びＰＵＣＣＨオケージョン毎のＳＳＢ数の情報の少なくとも一つが含まれていてもよい。もちろん、他の情報が含まれていてもよい。
【０１２５】
ＵＥは、基地局から通知された所定の上位レイヤパラメータに基づいて、ＢＦＲＱレスポンスを受信する所定セルを判断し、当該所定セルにおいてＢＦＲ手順（例えば、ＢＦＲＱに対する応答信号の受信等）を制御する。このように、ＢＦＲＱレスポンスの受信を基地局から設定されたセルで行う構成とすることにより、ＢＦＲ手順を柔軟に制御することができる。
【０１２６】
なお、ＢＦＲ手順は、セル（又は、ＣＣ）毎に行う場合を示したが、これに限られない。ＢＦＲ手順を帯域幅部分（ＢＷＰ：Bandwidth  part）単位で行ってもよい。例えば、ＢＷＰは、セル（又は、ＣＣ）内に１つ設定されてもよいし、複数設定されてもよい。この場合、所定の上位レイヤパラメータ（例えば、BeamFailureRecoveryConfig）はセルに設定されるＢＷＰ毎にＵＥに通知されてもよい。
【０１２７】
＜ＢＦＲＱ送信セル利用＞
ＵＥは、いずれかのセルを利用してＢＦＲＱを送信した場合、ＢＦＲＱを送信したセルにおいて当該ＢＦＲＱの応答信号を受信する（図１２参照）。ＢＦＲＱレスポンスの受信は、所定のＤＬチャネル（例えば、所定ＤＣＩでスケジュールされるＰＤＳＣＨ等）を利用してもよい。
【０１２８】
図１２では、ＣＣ＃０がＰＣｅｌｌ、ＣＣ＃１−＃３がＳＣｅｌｌである場合を示している。この場合、ＵＥは、ＣＣ＃０−ＣＣ＃３のいずれかで送信したＢＦＲＱに対する応答信号を、ＢＦＲＱ送信を行ったＣＣで受信するように制御する。図１２Ａでは、ＵＥが、ＣＣ＃０で送信したＢＦＲＱに対する応答信号をＣＣ＃０で受信する場合を示している。図１２Ｂでは、ＣＣ＃１−＃３で送信したＢＦＲＱに対する応答信号をそれぞれＢＦＲＱを送信したＣＣで受信する場合を示している。
【０１２９】
このように、ＢＦＲＱレスポンスの受信をＢＦＲＱの送信を行ったセルを利用して行う構成とすることにより、ＢＦＲＱレスポンスの受信が所定セルに集中することを抑制することができる。
【０１３０】
＜ＢＦＲＱレスポンスの受信＞
ＵＥは、ＢＦＲＱレスポンスを基地局から指定されたセル、又はＢＦＲＱを送信したセルにおいて受信する場合、ＢＦＲＱレスポンスは、プライマリセル、特定のセカンダリセル（例えば、ＰＳＣｅｌｌ又はＰＵＣＣＨ  ＳＣｅｌｌ）、又はセカンダリセルのいずれかで受信する。かかる場合、ＵＥは、所定のＲＮＴＩでＣＲＣスクランブルされたＤＣＩフォーマットを検出するために、所定のサーチスペースにおいて下り共有チャネル（ＰＤＣＣＨ）のモニタを行なう。所定のＲＮＴＩは、Ｃ−ＲＮＴＩ又はＲＡ−ＲＮＴＩであってもよい。
【０１３１】
ＵＥがモニタする所定のサーチスペース（例えば、サーチスペースインデックス）に関する情報は、上位レイヤ（例えば、ＲＲＣシグナリング等）を利用して基地局からＵＥに通知してもよい。例えば、基地局は、ＢＦＲ手順のリカバリに適用されるサーチスペースインデックスを指定する上位レイヤパラメータ（例えば、recoverySearchSpaceID）を利用してＵＥにリカバリ用のサーチスペースＩＤを通知してもよい。当該上位レイヤパラメータは、セル毎にそれぞれ設定されてもよい。また、サーチスペースが設定されるコントロールリソースセットＩＤがセル毎にそれぞれ設定されてもよい。
【０１３２】
ＢＦＲＱレスポンスを固定のセル（例えば、ＰＣｅｌｌ）で受信する場合、ＵＥは、所定のＳＣｅｌｌ（例えば、ＰＳＣｅｌｌ又はＰＵＣＣＨ  ＳＣｅｌｌ）に対して設定されたリカバリ用の上位レイヤパラメータ（例えば、BeamFailureRecoveryConfigのrecoverySearchSpaceID）がＰＣｅｌｌにおけるＢＦＲＱレスポンスのサーチスペースに適用されると想定してもよい。
【０１３３】
あるいは、ＵＥは、所定のＳＣｅｌｌに対して設定されたリカバリ用の上位レイヤパラメータを無視してもよいし、ＳＣｅｌｌに対するリカバリ用の上位レイヤパラメータが設定されないと想定してもよい。
【０１３４】
これにより、セル毎にＢＦＲＱレスポンス用のパラメータ（例えば、サーチスペースＩＤ又はコントロールリソースセットＩＤ等）が設定される場合であっても、ＵＥは、適切にモニタを制御することができる。
【０１３５】
＜ＢＦＲＱレスポンスウィンドウ＞
ＢＦＲＱの送信に対する応答信号（ＢＦＲＱレスポンス）を受信するための所定期間を設定してもよい。当該所定期間は、ＢＦＲＱレスポンスウィンドウ、又はリカバリ用ＰＵＣＣＨウィンドウ等と呼ばれてもよい。ＵＥは、ＢＦＲＱを送信した後、ＢＦＲＱレスポンスウィンドウにおいてリカバリ用のサーチスペースのモニタリングを行なってＢＦＲＱレスポンスの検出を試みる。
【０１３６】
ＢＦＲＱレスポンスウィンドウは、ＢＦＲＱ送信毎にそれぞれ設定される構成としてもよい（図１３参照）。図１３では、ＳＣｅｌｌとなるＣＣ＃１とＣＣ＃２でそれぞれ送信されるＢＦＲＱに対してＰＣｅｌｌとなるＣＣ＃０でＢＦＲＱレスポンスを受信する場合を示している。この場合、ＰＣｅｌｌにおいて各ＢＦＲＱに対してそれぞれＢＦＲＱレスポンスウィンドウが設定される。
【０１３７】
ＢＦＲＱレスポンスウィンドウの開始位置及び期間等は、仕様であらかじめ定義されてもよいし、基地局からＵＥに対してあらかじめ通知してもよい。ＢＦＲＱレスポンスウィンドウにおいてＢＦＲＱレスポンスを検出できなかった場合、ＵＥは、ＰＵＣＣＨを再送してもよい。
【０１３８】
ＢＦＲＱレスポンスを所定セルで受信する場合、異なるＢＦＲＱに対して設定されるＢＦＲＱレスポンスウィンドウが重複（又は、オーバラップ）する場合も考えられる（図１４参照）。図１４では、第１のＢＦＲＱ（例えば、ＣＣ＃１のＢＦＲＱ）に対応するＢＦＲＱレスポンスウィンドウ＃１と、第２のＢＦＲＱ（例えば、ＣＣ＃２のＢＦＲＱ）に対応するＢＦＲＱレスポンスウィンドウ＃２の一部が重複する場合の一例を示している。
【０１３９】
この場合、ＵＥは、ＢＦＲＱレスポンスウィンドウ＃１と＃２が設定される期間において、重複期間で１つのＢＦＲＱレスポンスのみを受信した場合、どのＢＦＲＱに対する応答信号であるか判断できなくなる場合も考えられる。
【０１４０】
そこで、ＵＥは、複数のＢＦＲＱに対するＢＦＲＱウィンドウが重複する場合、ＢＦＲＱレスポンスウィンドウの少なくとも一部のモニタを行わない（第１のモニタ動作）、又はＢＦＲＱレスポンスウィンドウのモニタを行なう（第２のモニタ動作）ように制御してもよい。
【０１４１】
＜第１のモニタ動作＞
ＵＥは、複数のＢＦＲＱに対するＢＦＲＱウィンドウが重複する場合、ＢＦＲＱレスポンスウィンドウの一部又は全部のモニタを行わないように制御してもよい。例えば、ＵＥは、複数のＢＦＲＱレスポンスウィンドウが重複する部分についてＰＤＣＣＨ（又は、ＤＣＩ）のモニタを行わないように制御する。これにより、ＵＥは、受信したＢＦＲＱレスポンスがどのＢＦＲＱに対応するかを適切に判断することができる。なお、基地局は、複数のＢＦＲＱレスポンスウィンドウが重複する部分において、ＢＦＲＱレスポンスを送信しないように制御してもよい。
【０１４２】
あるいは、ＵＥは、複数のＢＦＲＱに対するＢＦＲＱウィンドウが重複する場合、重複するＢＦＲＱレスポンスウィンドウ全体のモニタを行わないように制御してもよい。例えば、図１４において、ＵＥは、第１のＢＦＲＱに対応するＢＦＲＱレスポンスウィンドウ＃１と、第２のＢＦＲＱに対応するＢＦＲＱレスポンスウィンドウ＃２のモニタを行わないように制御してもよい。
【０１４３】
＜第２のモニタ動作＞
ＵＥは、複数のＢＦＲＱに対するＢＦＲＱレスポンスウィンドウが重複する場合、ＢＦＲＱレスポンスウィンドウが設定される期間においてＰＤＣＣＨ（又は、ＤＣＩ）のモニタを行なうように制御する。
【０１４４】
ＢＦＲＱレスポンスウィンドウの重複部分において、１つのＢＦＲＱレスポンスを受信した場合、ＵＥは、当該ＢＦＲＱレスポンスが所定のＢＦＲＱ送信に対応する応答信号であると想定してもよい。例えば、ＵＥは、重複部分において１つのＢＦＲＱレスポンスを受信した場合、当該ＢＦＲＱレスポンスは、送信が先に行われたＢＦＲＱに対応すると判断してもよい。あるいは、ＵＥは、重複部分において１つのＢＦＲＱレスポンスを受信した場合、当該ＢＦＲＱレスポンスは、送信が後（又は、最新）に行われたＢＦＲＱに対応すると判断してもよい。
【０１４５】
あるいは、ＵＥは、重複部分において１つのＢＦＲＱレスポンスを受信した場合、当該ＢＦＲＱレスポンスは、ＣＣインデックスが相対的に小さい（又は、大きい）ＣＣから送信されたＢＦＲＱに対応すると想定してもよい。
【０１４６】
なお、ＵＥは、ＢＦＲＱレスポンスウィンドウの重複部分で複数（例えば、図１４において２個）のＢＦＲＱレスポンスを受信した場合には、各ＢＦＲＱ送信に対する応答信号を受信したと判断してもよい。あるいは、ＵＥは、ＢＦＲＱレスポンスウィンドウの重複部分で１つのＢＦＲＱレスポンスを受信した場合でも、重複部分以外でＢＦＲＱレスポンスを受信した場合には、各ＢＦＲＱ送信に対する応答信号を受信したと判断してもよい。
【０１４７】
あるいは、ＵＥは、ＢＦＲＱレスポンスウィンドウの重複部分において、所定のサーチスペース及びコントロールリソースセットの少なくとも一つのみモニタするように制御してもよい。所定のサーチスペースは、特定のＢＦＲＱ送信に関連づけられたサーチスペースであってもよい。また、所定のコントロールリソースセットは、特定のＢＦＲＱ送信に関連づけられたコントロールリソースセットであってもよい。
【０１４８】
例えば、ＵＥは、所定のサーチスペースインデックス（例えば、インデックスが高い（又は低い）サーチスペース）、所定のコントロールリソースセットインデックス（例えば、インデックスが高い（又は低い）コントロールリソースセット）のみモニタするように制御してもよい。なお、モニタを行うサーチスペースは、共通サーチスペース又はＵＥ固有のサーチスペースの一方に限定してもよい。
【０１４９】
これにより、ＵＥは、ＢＦＲＱレスポンスウィンドウの重複部分をモニタする場合であっても、どのＢＦＲＱに対応する応答信号を受信したかを適切に判別できる。
【０１５０】
あるいは、複数のＢＦＲＱレスポンスウィンドウが重複しないように設定してもよい。ＵＥは、１つのＢＦＲＱプロセス（例えば、ＢＦＲＱ送信と、当該ＢＦＲＱ送信に対するＢＦＲＱレスポンス受信）が行われている期間において、他のＢＦＲＱプロセスは行われないと想定してもよい。この場合、ＵＥは、他のＢＦＲＱを次のＰＵＣＣＨオケージョンを利用して送信（例えば、送信タイミングを延期して送信）してもよい。
【０１５１】
図１５では、ＣＣ＃１とＣＣ＃２のＢＦＲＱ送信に対応するＢＦＲＱレスポンスウィンドウが重複する場合に、一方のＢＦＲＱ送信のタイミングを延期する場合を示している。ここでは、ＣＣ＃１より送信タイミングが遅いＣＣ＃２のＢＦＲＱ送信のタイミングを延期する。例えば、ＣＣ＃２のＢＦＲＱ送信を次のＰＵＣＣＨオケージョンまで延期して行ってもよい。ＢＦＲＱ送信の優先度は、セル種別（例えば、セルインデックス）等に基づいて決定してもよい。
【０１５２】
あるいは、ＵＥは、ＣＣ＃１とＣＣ＃２のＢＦＲＱ送信に対応するＰＵＣＣＨオケージョンが重複する場合に、ＢＦＲＱレスポンスウィンドウが重複すると想定して、一方のＢＦＲＱ送信のタイミングを延期するように制御してもよい。
【０１５３】
このように、ＵＥは、複数のＢＦＲＱレスポンスウィンドウが重複しないように制御することにより、各ＢＦＲＱに対応するＢＦＲＱレスポンスを適切に受信することができる。
【０１５４】
＜バリエーション＞
ＢＦＲを検出するための参照信号（ＢＦＲ−ＲＳ）は、ＣＣ毎に設定されてもよい。例えば、ＤＬ（ＢＦＲ−ＲＳ送信等）を行うＣＣ数（Ｎ個）が、ＵＬ（ＢＦＲＱ送信）を行うＣＣ数（Ｍ個）より多い場合、ＵＥは、ＣＣ毎にＢＦＲを検出するためにＢＦＲ−ＲＳの測定を行う。この場合、ＵＥは、測定結果に基づいてＢＦＲを検出した場合、特定のＭ個のＣＣを利用してＢＦＲＱの送信を行う。
【０１５５】
ＢＦＲＱ送信用のＰＵＣＣＨリソースは、ＣＣ毎に設定されてもよい。あるいは、ＢＦＲ−ＲＳ毎に設定されてもよい。複数のＣＣにおいて同時にＢＦＲを検出した場合には、上記第１のモニタ動作又は第２のモニタ動作のいずれかを行えばよい。
【０１５６】
Ｌ１−ＲＳＲＱ及びＳＩＮＲの少なくとも一方に基づくビーム報告（L1-RSRQ/SINR  beam  reporting）が設定されたＵＥは、ＢＦＲ手順における新規ビーム（又は、新規候補ビーム）のサーチについてもＬ１−ＲＳＲＱ／ＳＩＮＲを利用して行ってもよい。一方で、L1-RSRQ/SINR  beam  reportingが設定されない場合には、ＢＦＲ手順における新規ビームのサーチについてＬ１−ＲＳＲＰを利用して行ってもよい。
【０１５７】
なお、Ｌ１−ＲＳＲＱ／ＳＩＮＲの利用はＰＣｅｌｌに限定し、ＳＣｅｌｌは常にＬ１−ＲＳＲＰを利用する構成としてもよい。あるいは、Ｌ１−ＲＳＲＱ／ＳＩＮＲの利用はＳＣｅｌｌに限定し、ＰＣｅｌｌは常にＬ１−ＲＳＲＰを利用する構成としてもよい。
【０１５８】
（無線通信システム）
以下、本開示の実施形態に係る無線通信システムの構成について説明する。この無線通信システムでは、上記実施形態に示す無線通信方法の少なくとも一つ又はこれらの組み合わせを用いて通信が行われる。
【０１５９】
図１６は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１６０】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１６１】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity）をサポートしてもよい。ＭＲ−ＤＣは、ＬＴＥ（Ｅ−ＵＴＲＡ）の基地局（ｅＮＢ）がマスターノード（ＭＮ）となり、ＮＲの基地局（ｇＮＢ）がセカンダリーノード（ＳＮ）となるＬＴＥとＮＲとのデュアルコネクティビィティ（ＥＮ−ＤＣ：E-UTRA-NR  Dual  Connectivity）、ＮＲの基地局（ｇＮＢ）がＭＮとなり、ＬＴＥ（Ｅ−ＵＴＲＡ）の基地局（ｅＮＢ）がＳＮとなるＮＲとＬＴＥとのデュアルコネクティビィティ（ＮＥ−ＤＣ：NR-E-UTRA  Dual  Connectivity）等を含んでもよい。
【０１６２】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１６３】
ユーザ端末２０は、基地局１１及び基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１６４】
ユーザ端末２０と基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と基地局１２との間は、相対的に高い周波数帯域（例えば、３．５ＧＨｚ、５ＧＨｚなど）で帯域幅が広いキャリアが用いられてもよいし、基地局１１との間と同じキャリアが用いられてもよい。なお、各基地局が利用する周波数帯域の構成はこれに限られない。
【０１６５】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１６６】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。
【０１６７】
例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０１６８】
基地局１１と基地局１２との間（又は、２つの基地局１２間）は、有線（例えば、ＣＰＲＩ（Common  Public  Radio  Interface）に準拠した光ファイバ、Ｘ２インターフェースなど）又は無線によって接続されてもよい。
【０１６９】
基地局１１及び各基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各基地局１２は、基地局１１を介して上位局装置３０に接続されてもよい。
【０１７０】
なお、基地局１１は、相対的に広いカバレッジを有する基地局であり、マクロ基地局、集約ノード、ｅＮＢ（eNodeB）、送受信ポイント、などと呼ばれてもよい。また、基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１及び１２を区別しない場合は、基地局１０と総称する。
【０１７１】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１７２】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１７３】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１７４】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１７５】
下りＬ１／Ｌ２制御チャネルは、下り制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）の少なくとも一つを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１７６】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１７７】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１７８】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線リンク品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１７９】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１８０】
＜基地局＞
図１７は、一実施形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１８１】
下りリンクによって基地局１０からユーザ端末２０に送信されるユーザデータは、上位局装置３０から伝送路インターフェース１０６を介してベースバンド信号処理部１０４に入力される。
【０１８２】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１８３】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１８４】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１８５】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、基地局１０の状態管理、無線リソースの管理などを行う。
【０１８６】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の基地局１０と信号を送受信（バックホールシグナリング）してもよい。
【０１８７】
なお、送受信部１０３は、アナログビームフォーミングを実施するアナログビームフォーミング部をさらに有してもよい。アナログビームフォーミング部は、本開示に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ１０１は、例えばアレーアンテナにより構成することができる。また、送受信部１０３は、シングルＢＦ、マルチＢＦなどを適用できるように構成されてもよい。
【０１８８】
送受信部１０３は、送信ビームを用いて信号を送信してもよいし、受信ビームを用いて信号を受信してもよい。送受信部１０３は、制御部３０１によって決定された所定のビームを用いて信号を送信及び／又は受信してもよい。
【０１８９】
送受信部１０３は、上記各実施形態で述べた各種情報を、ユーザ端末２０から受信及び／又はユーザ端末２０に対して送信してもよい。例えば、送受信部１０３は、無線リンク障害が発生したセルに対するビーム回復要求（ＢＦＲＱ：Beam  Failure  Recovery  reQuest）を上り制御チャネルを利用して受信する。
【０１９０】
図１８は、一実施形態に係る基地局の機能構成の一例を示す図である。なお、本例では、本実施の形態における特徴部分の機能ブロックを主に示しており、基地局１０は、無線通信に必要な他の機能ブロックも有すると想定されてもよい。
【０１９１】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、基地局１０に含まれていればよく、一部又は全部の構成がベースバンド信号処理部１０４に含まれなくてもよい。
【０１９２】
制御部（スケジューラ）３０１は、基地局１０全体の制御を実施する。制御部３０１は、本開示に係る技術分野での共通認識に基づいて説明されるコントローラ、制御回路又は制御装置から構成することができる。
【０１９３】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１９４】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１９５】
制御部３０１は、同期信号（例えば、ＰＳＳ／ＳＳＳ）、下り参照信号（例えば、ＣＲＳ、ＣＳＩ−ＲＳ、ＤＭＲＳ）などのスケジューリングの制御を行う。
【０１９６】
制御部３０１は、ベースバンド信号処理部１０４によるデジタルＢＦ（例えば、プリコーディング）及び／又は送受信部１０３によるアナログＢＦ（例えば、位相回転）を用いて、送信ビーム及び／又は受信ビームを形成する制御を行ってもよい。
【０１９７】
制御部３０１は、ユーザ端末２０のための無線リンクモニタリング（ＲＬＭ）及び／又はビーム回復（ＢＲ：Beam  Recovery）を制御してもよい。制御部３０１は、ＢＦＲＱ／ＰＢＦＲＱに応じてユーザ端末２０に応答信号を送信する制御を行ってもよい。
【０１９８】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１９９】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理などが行われる。
【０２００】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０２０１】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０２０２】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０２０３】
測定部３０５は、受信した信号に関する測定を実施する。測定部３０５は、本開示に係る技術分野での共通認識に基づいて説明される測定器、測定回路又は測定装置から構成することができる。
【０２０４】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０２０５】
＜ユーザ端末＞
図１９は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０２０６】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０２０７】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０２０８】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０２０９】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０２１０】
なお、送受信部２０３は、アナログビームフォーミングを実施するアナログビームフォーミング部をさらに有してもよい。アナログビームフォーミング部は、本開示に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ２０１は、例えばアレーアンテナにより構成することができる。また、送受信部２０３は、シングルＢＦ、マルチＢＦなどを適用できるように構成されてもよい。
【０２１１】
送受信部２０３は、送信ビームを用いて信号を送信してもよいし、受信ビームを用いて信号を受信してもよい。送受信部２０３は、制御部４０１によって決定された所定のビームを用いて信号を送信及び／又は受信してもよい。
【０２１２】
また、送受信部２０３は、無線リンク障害が発生したセルに対するビーム回復要求（ＢＦＲＱ：Beam  Failure  Recovery  reQuest）を上り制御チャネルを利用して送信してもよい。また、送受信部２０３は、ビーム回復要求に対するレスポンスを所定セル又は前記ビーム回復を報告したセルで受信してもよい。
【０２１３】
図２０は、一実施形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０２１４】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０２１５】
制御部４０１は、ユーザ端末２０全体の制御を実施する。制御部４０１は、本開示に係る技術分野での共通認識に基づいて説明されるコントローラ、制御回路又は制御装置から構成することができる。
【０２１６】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０２１７】
制御部４０１は、基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０２１８】
制御部４０１は、ベースバンド信号処理部２０４によるデジタルＢＦ（例えば、プリコーディング）及び／又は送受信部２０３によるアナログＢＦ（例えば、位相回転）を用いて、送信ビーム及び／又は受信ビームを形成する制御を行ってもよい。
【０２１９】
制御部４０１は、ＭＡＣレイヤ処理部及びＰＨＹレイヤ処理部を含んでもよい。なお、ＭＡＣレイヤ処理部及び／又はＰＨＹレイヤ処理部は、制御部４０１、送信信号生成部４０２、マッピング部４０３、受信信号処理部４０４及び測定部４０５のいずれか、又はこれらの組み合わせによって実現されてもよい。
【０２２０】
ＭＡＣレイヤ処理部は、ＭＡＣレイヤの処理を実施し、ＰＨＹレイヤ処理部は、ＰＨＹレイヤの処理を実施する。例えば、ＰＨＹレイヤ処理部から入力される下りリンクのユーザデータや報知情報などは、ＭＡＣレイヤ処理部の処理を経てＲＬＣレイヤ、ＰＤＣＰレイヤなどの処理を行う上位レイヤ処理部に出力されてもよい。
【０２２１】
ＰＨＹレイヤ処理部は、ビーム障害、部分的ビーム障害（ＰＢＦ：Partial  Beam  Failure）などを検出してもよい。ＰＨＹレイヤ処理部は、検出したビーム障害、ＰＢＦなどに関する情報（インスタンス）をＭＡＣレイヤ処理部に通知してもよい。つまり、制御部４０１は、設定されたＢＦＤ−ＲＳのうちの一部のＢＦＤ−ＲＳのリソース設定の無線リンク品質が所定の閾値より悪い場合、下位レイヤ（ＰＨＹレイヤ）から上位レイヤ（ＭＡＣレイヤ）にビーム障害に関するインスタンス（例えば、ＰＢＦインスタンス）を指示してもよい。
【０２２２】
ＭＡＣレイヤ処理部は、ＰＨＹレイヤ処理部におけるビーム回復要求（ＢＦＲＱ）、ＰＢＦＲＱなどの送信をトリガしてもよい。例えば、ＭＡＣレイヤ処理部は、ＰＨＹレイヤ処理部から通知されたビーム障害に関する情報に基づいて、ビーム回復要求の送信をトリガしてもよい。つまり、制御部４０１は、上位レイヤ（ＭＡＣレイヤ）が上記インスタンスを一定回数以上受信した場合に、ＰＵＣＣＨ又はＰＵＳＣＨを用いたＢＦＲＱの送信をトリガしてもよい。
【０２２３】
また、制御部４０１は、あらかじめ設定された所定セル又は無線リンク障害が発生したセルに関連づけられた上り制御チャネル送信用のセルにおいて上り共有チャネルの送信を行うように制御してもよい。
【０２２４】
例えば、制御部４０１は、無線リンク障害が発生したセルで適用されるサブキャリア間隔と、所定セルで適用されるサブキャリア間隔に基づいて、上り制御チャネルの送信候補領域に設定される上り制御チャネルの時間リソース数を判断してもよい。
【０２２５】
あるいは、制御部４０１は、ビーム回復要求の報告毎に設定されるレスポンスウィンドウに基づいて、各ビーム回復要求に対するレスポンスの受信を行うように制御してもよい。また、制御部４０１は、異なるビーム回復要求の報告に対応するレスポンスウィンドウの少なくとも一部が重複する場合、少なくとも重複部分についてモニタを行わないように制御してもよい。
【０２２６】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０２２７】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、基地局１０から通知される下り制御信号にＵＬグラントが含まれている場合に、制御部４０１から上りデータ信号の生成を指示される。
【０２２８】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０２２９】
受信信号処理部４０４は、送受信部２０３から入力された受信信号に対して、受信処理（例えば、デマッピング、復調、復号など）を行う。ここで、受信信号は、例えば、基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０２３０】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０２３１】
測定部４０５は、受信した信号に関する測定を実施する。測定部４０５は、本開示に係る技術分野での共通認識に基づいて説明される測定器、測定回路又は測定装置から構成することができる。
【０２３２】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０２３３】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２３４】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit/section）、送信機（transmitter）などと呼称されてもよい。いずれも、上述したとおり、実現方法は特に限定されない。
【０２３５】
例えば、本開示の一実施形態における基地局、ユーザ端末などは、本開示の無線通信方法の処理を行うコンピュータとして機能してもよい。図２１は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２３６】
なお、以下の説明では、「装置」という文言は、回路、デバイス、ユニットなどに読み替えることができる。基地局１０及びユーザ端末２０のハードウェア構成は、図に示した各装置を１つ又は複数含むように構成されてもよいし、一部の装置を含まずに構成されてもよい。
【０２３７】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２３８】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２３９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２４０】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２４１】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２４２】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２４３】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的に又は論理的に分離された実装がなされてもよい。
【０２４４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２４５】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２４６】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２４７】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２４８】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２４９】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２５０】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２５１】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２５２】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２５３】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２５４】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２５５】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２５６】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２５７】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２５８】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２５９】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２６０】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２６１】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２６２】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２６３】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２６４】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２６５】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２６６】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２６７】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２６８】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２６９】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２７０】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２７１】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２７２】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２７３】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２７４】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２７５】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２７６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２７７】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２７８】
本開示において使用する「システム」及び「ネットワーク」という用語は、互換的に使用され得る。
【０２７９】
本開示において、「プリコーディング」、「プリコーダ」、「ウェイト（プリコーディングウェイト）」、「擬似コロケーション（ＱＣＬ：Quasi-Co-Location）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２８０】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２８１】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２８２】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２８３】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２８４】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２８５】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２８６】
同様に、本開示におけるユーザ端末は、基地局で読み替えてもよい。この場合、上述のユーザ端末２０が有する機能を基地局１０が有する構成としてもよい。
【０２８７】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２８８】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２８９】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２９０】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２９１】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２９２】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２９３】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２９４】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２９５】
また、「判断（決定）」は、「想定する（assuming）」、「期待する（expecting）」、「みなす（considering）」などで読み替えられてもよい。
【０２９６】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２９７】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２９８】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２９９】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０３００】
本開示において、例えば、英語でのa,  an及びtheのように、翻訳によって冠詞が追加された場合、本開示は、これらの冠詞の後に続く名詞が複数形であることを含んでもよい。
【０３０１】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020031351.tif 000003
【図２】
2020031351.tif 000004
【図３】
2020031351.tif 000005
【図４】
2020031351.tif 000006
【図５】
2020031351.tif 000007
【図６】
2020031351.tif 000008
【図７】
2020031351.tif 000009
【図８】
2020031351.tif 000010
【図９】
2020031351.tif 000011
【図１０】
2020031351.tif 000012
【図１１】
2020031351.tif 000013
【図１２】
2020031351.tif 000014
【図１３】
2020031351.tif 000015
【図１４】
2020031351.tif 000016
【図１５】
2020031351.tif 000017
【図１６】
2020031351.tif 000018
【図１７】
2020031351.tif 000019
【図１８】
2020031351.tif 000020
【図１９】
2020031351.tif 000021
【図２０】
2020031351.tif 000022
【図２１】
2020031351.tif 000023
【国際調査報告】
2020031351.tif 000024
2020031351.tif 000025